(57)【要約】【課題】被加工面を加工する場合の加工速度を向上する。【解決手段】円盤６の外周縁部７に、該外周縁部７に沿って間隔Ｚをおいて複数の歯形部８を円盤６の中心より放射状に突設する。歯形部８の円盤６の周方向にある立ち上り前端面10に切削用硬質チップ11を設ける。立ち上り前端面10と硬質チップ11との間に耐衝撃部材12を介在する。円盤６の回転により切削用硬質チップ11が被加工物としての歯車２の歯面19に断続的に当たって切削する。この際の衝撃を耐衝撃部材12によってある程度吸収できる。【選択図】図１
2010058209.tif 000002
【特許請求の範囲】
【請求項１】
円盤の外周縁部に、該外周縁部に沿って間隔をおいて複数の歯形部を前記円盤の中心より放射状に突設し、前記歯形部の前記円盤の周方向にある立ち上り前端面に切削用硬質チップを設けると共に、前記立ち上り前端面と前記硬質チップとの間に耐衝撃部材を介在したことを特徴とする回転用カッター。
【請求項２】
前記切削用硬質チップはＣＢＮ又はダイヤモンドであることを特徴とする請求項１記載の回転用カッター。
【請求項３】
前記耐衝撃部材が高速度工具鋼又は超硬合金であることを特徴とする請求項１又は２記載の回転用カッター。
【請求項４】
前記切削用硬質チップの前面部が前記円盤の中心から放射状にあらわされる仮想半径線上に設けられることを特徴とする請求項１〜３のいずれか１項に記載の回転用カッター。
【請求項５】
前記歯形部の前記円盤の周方向にある立ち上り後端面は後方へ向けて傾斜して低く形成されていることを特徴とする請求項１〜４のいずれか１項に記載の回転用カッター。
【請求項６】
前記円盤の中心軸線は被加工物の被加工面に対して平行であって、前記円盤は前記中心軸線と交差するように前記被加工面に対して相対的に移動することを特徴とする請求項１〜５のいずれか１項に記載の回転用カッター。
【請求項７】
前記１〜６のいずれか１項に記載の回転用カッターを用い、被加工物の表面を切削することを特徴とした切削方法。
【請求項８】
被加工物の表面は表面硬化処理されたものであることを特徴とする請求項７記載の切削方法。
【発明の詳細な説明】
【技術分野】
【０００１】
本発明は、回転用カッター及び切削方法に関するものである。
【背景技術】
【０００２】
従来、歯車や摺動部品などにおいては、耐久性を向上するために例えば高周波焼き入れのような表面硬化処理を施している。このような焼入れ処理した製品にあっては、焼入れに伴い歪変形が生じているので、この歪変形を解消する必要がある。
【０００３】
例えば、機械切削により歯車を形成し、焼き入れした後、さらに歯面に研削加工することなどがなされている（例えば特許文献１）。そして、研磨手段として、ＣＢＮ等を含む硬質砥粒を用いるものも知られている（例えば特許文献２）。
【特許文献１】特開２００８−１７９８４９公報
【特許文献２】特開平８−１１８１４５号公報
【発明の開示】
【発明が解決しようとする課題】
【０００４】
従来技術のように、焼入れ処理した表面を仕上げる方法として、研磨手段を用いることで精度良く仕上げることができるものの、生産性に限界があった。
【０００５】
解決しようとする問題点は、例えば被加工面を加工する場合の加工時間を短縮する点である。
【課題を解決するための手段】
【０００６】
請求項１の発明は、円盤の外周縁部に、該外周縁部に沿って間隔をおいて複数の歯形部を前記円盤の中心より放射状に突設し、前記歯形部の前記円盤の周方向にある立ち上り前端面に切削用硬質チップを設けると共に、前記立ち上り前端面と前記硬質チップとの間に耐衝撃部材を介在したことを特徴とする回転用カッターである。
【０００７】
請求項２の発明は、前記切削用硬質チップはＣＢＮ又はダイヤモンドであることを特徴とする請求項１記載の回転用カッターである。
【０００８】
請求項３の発明は、前記耐衝撃部材が高速度工具鋼又は超硬合金であることを特徴とする請求項１又は２記載の回転用カッターである。
【０００９】
請求項４の発明は、前記切削用硬質チップの前面部が前記円盤の中心から放射状にあらわされる仮想半径線上に設けられることを特徴とする請求項１〜３のいずれか１項に記載の回転用カッターである。
【００１０】
請求項５の発明は、前記歯形部の前記円盤の周方向にある立ち上り後端面は後方へ向けて傾斜して低く形成されていることを特徴とする請求項１〜４のいずれか１項に記載の回転用カッターである。
【００１１】
請求項６の発明は、前記円盤の中心軸線は被加工物の被加工面に対して平行であって、前記円盤は前記中心軸線と交差するように前記被加工面に対して相対的に移動することを特徴とする請求項１〜５のいずれか１項に記載の回転用カッターである。
【００１２】
請求項７の発明は、前記１〜６のいずれか１項に記載の回転用カッターを用い、被加工物の表面を切削することを特徴とした切削方法である。
【００１３】
請求項８の発明は、被加工物の表面は表面硬化処理されたものであることを特徴とする請求項７記載の切削方法である。
【発明の効果】
【００１４】
請求項１の発明によれば、切削時の衝撃を耐衝撃部材によって吸収することで、切削用硬質チップ、歯形部の変形や破損を少なくして被加工物の加工を行うことができる。
【００１５】
請求項２の発明によれば、ＣＢＮやダイヤモンドからなる切削用硬質チップによって、表面処理を施した硬度の高い被加工物の加工を行うことができる。
【００１６】
請求項３の発明によれば、最適な衝撃吸収を行うことができる。
【００１７】
請求項４の発明によれば、被加工物に対してほぼ直角方向に切削用硬質チップを当接できるようになるので、確実に切削を行うことができる。
【００１８】
請求項５の発明によれば、切削抵抗が円盤側に分散されて伝達でき、全体強度の向上を図ることができる。
【００１９】
請求項６の発明によれば、被加工物に沿って連続して切削を行うことができる。
【００２０】
請求項７の発明によれば、工具により良好に切削できる。
【００２１】
請求項８の発明によれば、工具による摩擦熱の影響を少なくして被加工物の熱影響を少なくできる。
【発明を実施するための最良の形態】
【００２２】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２３】
図１〜５は実施例１を示しており、実施例１では、歯部１の表面を高周波により焼入れを行った歯車２を加工する切削盤の場合を示している。そして、前加工として焼入れ前の鋼材を切削で歯部１を削り出し歯車２の本体を形成する。次に歯部１を後述する回転用カッターを高速回転、高速送りで仕上げ加工する。
【００２４】
ワーク等とも称せられる被加工物が載置される水平なテーブル３上に回転駆動軸４がテーブル３と平行となって横軸状に設けられている。この回転駆動軸４に装着される回転用カッター５は、金属製円盤６の外周縁部７に、外周縁部７に沿って間隔Ｚをおいて複数の歯形部８を円盤６の中心軸線９を中心として放射状に突設し、そして歯形部８の円盤６の周方向にある立ち上り前端面10に切削用硬質チップ11を設け、さらに切削用硬質チップ11の後面と立ち上り前端面10との間に干渉機能を果たすための耐衝撃部材12を介在したものである。そして、前記切削用硬質チップ11と耐衝撃部材12とは第１の固着手段たる第１のロウ付け層13によって接着し、さらに耐衝撃部材12と立ち上り前端面10とは第２の固着手段たる第２のロウ付け層14によって接着している。
【００２５】
歯形部８が一体に設けられる板状の円盤６は例えば鋼、例えば機械構造用炭素鋼が用いられる。また、切削用硬質チップ11としては超硬度のＣＢＮ（立方晶窒化ホウ素）の微粒子を固着した薄板状チップ又はダイヤモンドの微粒子を固着した薄板状チップが用いられる。耐衝撃部材12は、歯形部８の材質よりも高硬度であって、切削用硬質チップ11の材質よりも硬度が低い材質によって形成されている。実施例では耐衝撃部材12は高速度工具鋼又は超硬合金により形成されている。
【００２６】
さらに、歯形部８の円盤６の周方向にある立ち上り後端面15は後方へ向けて傾斜して低く形成されている。
【００２７】
また、切削用硬質チップ11の前面部16は、円盤６の中心軸線９から放射状にあらわされる仮想半径線17上にほぼ設けられるものであって、すくい角Ａは０〜５度に形成されており、切削用硬質チップ11の先端の刃先角度Ｂ８０〜８５度を有して後退している。また切削用硬質チップ11のランド18に後続する逃げ角Ｃは５〜１０度に形成されており、さらに、前面部16における円盤６の中心軸線９側の第１の幅Ｄ、すなわち基端側の第１の幅Ｄより、前面部16における円盤６の中心軸線９と反対側の第２の幅Ｅ、すなわち先端側の第２の幅Ｅは小さくなっており（Ｄ＞Ｅ）、前面部16の正面は二等辺三角形形状となっており、その先端側の挟角度Ｆは０〜９０度に形成されている。ランド18は切削用硬質チップ11の前面部16の縁をごく僅かに斜めに面取りして形成されたものである。
【００２８】
さらに、耐衝撃部材12も板状に形成されており、実施例の場合にはその周方向の第１の厚みＧは切削用硬質チップ11の周方向の第２の厚みＨより大きく形成されている（Ｇ＞Ｈ）。尚、切削用硬質チップ11の前面部16から後方へ投影したしたとき耐衝撃部材12、立ち上り前端面10は外側にはみ出ないように形成されている。
【００２９】
次に前記構成についてその作用を説明する。鋼材を切削で削りだした歯車２は、焼入れされて歯面19は表面硬化処理がなされている。そしてこのような歯車２の歯面19を所定寸法に仕上げるため、歯車２をテーブル３に取り付ける。この際、歯面19の幅方向Ｉと中心軸線９とは交差、実施例では直交するように配置する。そして、回転駆動軸４を回動駆動し、歯面19の幅方向Ｉの一方から、該一方に切削用硬質チップ11の前面部16を対向させて、歯面19の幅方向Ｉの他方へ相対的に移動すると、歯面19に切削用硬質チップ11が当たって歯面19を切削する。さらに回転駆動軸４を回動駆動により切削用硬質チップ11に後続する次の切削用硬質チップ11により歯面19を断続的に切削する。
【００３０】
このように回転用カッター５を回転すると共に、回転用カッター５と歯車２とを相対的に移動することで、歯面19の幅方向Ｉを仕上げすることができる。そして、回転用カッター５が回転することで円盤６の外周縁部７に、外周縁部７に沿って間隔Ｚをおいて設けられた複数の切削用硬質チップ11が歯面19に当接して切削を行うものであるが、この際に切削用硬質チップ11は歯面19に断続的に当接することにより、比較的大きな衝撃を受けることになり、該切削用硬質チップ11の破損や変形が懸念されるが、前記衝撃を切削用硬質チップ11の後方にある耐衝撃部材12によってこれをある程度吸収できることで、切削用硬質チップ11の変形、破損を阻止することができる。
【００３１】
以上のように、前記実施例においては、円盤６の外周縁部７に、該外周縁部７に沿って間隔Ｚをおいて複数の歯形部８を円盤６の中心より放射状に突設し、歯形部８の円盤６の周方向にある立ち上り前端面10に切削用硬質チップ11を設けると共に、立ち上り前端面10と硬質チップ11との間に耐衝撃部材12を介在したことにより、円盤６の回転により切削用硬質チップ11が歯面19に断続的に当たって切削したときの衝撃を耐衝撃部材12によってある程度吸収することで、切削用硬質チップ11、歯形部８の変形や破損がなく切削によって表面硬化処理がなされた歯面19の仕上げ加工を行うことができる。
【００３２】
また、切削用硬質チップ11をＣＢＮとすることで、超高硬度を確保でき、表面硬化処理がなされた歯面19であっても確実に切削加工を行うことができる。
【００３３】
さらに、耐衝撃部材12が歯形部８の硬度より高く切削用硬質チップ11の硬度よりも小さい高速度工具鋼又は超硬合金であることにより、最適な衝撃吸収を行うことができる。
【００３４】
しかも、切削用硬質チップ11の前面部16が円盤６の中心軸線９から放射状にあらわされる仮想半径線17上に設けられることにより、歯面19に対してほぼ直角方向に切削用硬質チップ11が当接するようになるので、確実に切削を行うことができる。
【００３５】
また、歯形部８の円盤６の周方向にある立ち上り後端面15は後方へ向けて傾斜して低く形成されていることにより、歯面19による切削抵抗は、切削用硬質チップ11、耐衝撃部材12、歯形部８を介して円盤６側に伝達されるが、歯形部８においては立ち上り後端面15は後方へ向けて傾斜しているので、切削抵抗が円盤６側に分散されて伝達でき、全体強度の向上を図ることができる。
【００３６】
さらに、円盤６の中心軸線９は被加工物である歯車２の被加工面である歯面19に対して常時等距離となった平行であって、円盤６は中心軸線９と直交するように歯面19の幅方向Ｉに対して相対的に移動することにより、歯面19の幅方向Ｉに沿って連続して切削を行うことができる。
【００３７】
また、回転用カッター５を用いた歯面19にあっては、研削加工と異なり歯面19の単位面積あたりの工具接触時間を低減でき、これに伴うことにより精密な高品質の歯車２を形成することができる。
【実施例２】
【００３８】
図６〜７は実施例２を示しており、実施例２では、歯部21の表面を高周波により焼入れを行ったピニオン（図示せず）が螺合するラック22を加工する切削盤の場合を示している。尚、前記実施例１と同一部分には同一符号を付し、その詳細な説明を省略する。
【００３９】
鋼材を切削で削りだしたラック22は、焼入れされて歯面23は表面硬化処理がなされている。そしてこのようなラック２の歯面23を所定寸法に仕上げるため、ラック２をテーブル３に取り付ける。この際、歯面23の幅方向Ｉと中心軸線９とは交差、実施例では直交するように配置する。そして、回転駆動軸４を回動駆動し、歯面23の幅方向Ｉの一方から、該一方に切削用硬質チップ11の前面部16を対向させて、歯面19の幅方向Ｉの他方へ相対的に移動すると、歯面23に切削用硬質チップ11が当たって歯面23を切削する。さらに回転駆動軸４を回動駆動により切削用硬質チップ11に後続する次の切削用硬質チップ11により歯面23を断続的に切削する。
【００４０】
このように回転用カッター５を回転すると共に、回転用カッター５とラック22を相対的に移動することで、歯面23の幅方向Ｉを仕上げすることができる。そして、回転用カッター５が回転することで円盤６の外周縁部７に、外周縁部７に沿って間隔Ｚをおいて設けられた複数の切削用硬質チップ11が歯面23に当接して切削を実施例１と同様に行うものである。
【産業上の利用可能性】
【００４１】
以上のように本発明に係る回転用カッター及び切削方法は、歯車以外に各種摺動部品或いはその他各種の用途に適用できる。
【図面の簡単な説明】
【００４２】
【図１】本発明の実施例１を示す一部切り欠き正面図である。
【図２】同、断面図である。
【図３】同、要部の一部を拡大した正面図である。
【図４】同、斜視図である。
【図５】同、歯車２の斜視図である。
【図６】本発明の実施例２を示す一部切り欠き正面図である。
【図７】同、断面図である。
【符号の説明】
【００４３】
２  歯車（被加工物）
６  円盤
７  外周縁部
８  歯形部
９  中心軸線（中心）
10  立ち上り前端面
11  切削用硬質チップ
12  耐衝撃部材
15  立ち上り後端面
16  前面部
17  仮想半径線
19  歯面（被加工面）
22  ラック（被加工物）
Ｚ  間隔
【図１】
2010058209.tif 000003
【図２】
2010058209.tif 000004
【図３】
2010058209.tif 000005
【図４】
2010058209.tif 000006
【図５】
2010058209.tif 000007
【図６】
2010058209.tif 000008
【図７】
2010058209.tif 000009